(57)【特許請求の範囲】
【請求項１】
谷底形状を狭めながら排出端に連なる排出路面と、本排出路面の上流に仕切り板を備えた上方が開放型であり、前記排出路面の排出端側の表面の一部に表面張力７４ｍＮ／ｍ以上の材料を備え、その他の排出路面の表面を表面張力５０ｍＮ／ｍ以下の材料で構成した男性用の小用補助具。
【請求項２】
前記排出路面から隔離した部分につまみ部を設けた請求項１の男性用の小用補助具。
【発明の詳細な説明】
【技術分野】
【０００１】本発明は、男性が便器に小用するとき、排尿が便器外や着衣を汚さないように排尿を受けて、便器に注ぐ補助具に関するものである。
【背景技術】
【０００２】従来、男性が便器に小用をするとき、排尿の便器外や着衣の汚染を防止するために、下記の特許文献１乃至３などが開示されている。これらの文献にある発明は、器具を水溶性にして使い捨てにするものや、排尿を筒形の器具で集め、その先にホースをつないで便器に放出する装置である。
【先行技術文献】
【特許文献】
【０００３】
【特許文献１】特開２００５−０６０９９７号
【特許文献２】特開２００７−２３１７１５号
【特許文献３】特開２００９−１１４８２７号
【発明の開示】
【発明が解決しようとする課題】
【０００４】従来技術では、特許文献１のように、使い捨ての水溶性カバーで小水を便器に誘導するものがあるが、水溶性の素材は使用時に小水が素材に浸透して手を汚したり、素材が変形するのでコーティングしたり、遅水溶性で補強するなどの対策が提案されているが、これらの対策をしても便器を詰まらす問題などがある。【０００５】特許文献２は、筒状にした防止具の中で排尿するものであるが、使用後に付着した尿を清掃するのは困難であり、そのために防止具を水溶性の材料にして、遅水溶性固定剤で強化した使い捨てにしているが、便器をつまらす問題などがある。【０００６】特許文献３は、実施例から筒状の器具の中で小用し、排尿をホースを使って便器に排出するものであるが、筒状であり構造が複雑になるので、使用後に付着した尿を清掃するのが難しい問題などがある。【０００７】本発明は、男性の小用時に排尿を受ける器具からの排尿の飛び出しで、排尿が便器外や着衣を汚さないようにすると共に、使用器具に付着した尿の清掃を容易にすることを課題とするものである。
【課題を解決するための手段】
【０００８】本発明は、排尿を大端谷底形状側から形状を狭めながら先細の排出端に導き、上方が開放された排出路面を備えている男性用の小用補助具であり、排出路面の上流に設けた仕切り板には凹面部を設けており、外尿道口の位置と排尿の方向を容易に安定させることができ、また上方が開放されているので使用後の清掃が容易にできる。【０００９】更に、本発明の小用補助具は、仕切り板から排出端までの排尿にふれる排出路面と、壁で仕切られた部分に指でつまんで補助具を操作するためのつまみ部を備えることで、手が排尿や水洗したときの水で汚れないようにしている。【００１０】更に、本発明の小用補助具の排出路面の排尿の流れのある部分を尿をはじく表面にすると、表面張力の影響で排尿の流れが塊状になろうとしたり蛇行したりして、へりの部分からはね出すことがわかったので、流れのある適当な部分に尿にぬれる表面を設けて排尿を排出路面に吸着させ、へりからは散乱せず下方の排出端に導くとともに、その他の面を尿をはじく表面で構成することにより、使用後に残存する尿を補助具を振り払うなどして少なくし、更に補助具の水洗後の残存水分をチリ紙などで容易に拭き取ることもできる。【００１０】尿の表面張力は日時を変えて排尿の都度液滴法で測定した結果、約６３〜７１ｍＮ／ｍであったが、尿は溶けている成分などによって数値が異なるので、本発明では余裕を考えた材料の選定の基準として、尿をはじく表面張力の上限値を５０ｍＮ／ｍまた尿にぬれる表面張力の下限値を７４ｍＮ／ｍとし、ぬれる部分の表面張力をこの下限値より出来るだけ大きく、はじく部分の表面張力をこの上限値より出来るだけ小さい適当な材料をそれぞれ選ぶのが好ましい。
【発明の効果】
【００１１】本発明の男性用の小用補助具は上記のようにつまみ部を備え、仕切り板に凹面部を備えており、外尿道口の位置と排尿の方向を決めることができるので、本来の自然な状態で小用ができ、また上方が開放型に構成されているので使用後の清掃が容易である。【００１２】排出路面の排尿が流れる適当な部分を尿にぬれる表面にすれば、排出路での流れの塊状蛇行や排尿のへり部からの飛び出しや着衣や便器の外を汚すこたが改善され、また補助具を操作するつまみ部が排出路から隔離されており排尿で手を汚すことはない。【００１３】さらに、排出路の排尿が流れる適当な部分を除き尿をはじく材料にすれば、その部分は尿をはじくので尿はあまり残らないし、補助具を振り払えば尿は僅かしか残らないので、補助具の使用後の清掃がさらに容易にでき清潔に長期間使用できる。【００１４】更に、本補助具は小型にでき、素材にプラスチックを使用すれば軽量安価に生産でき、又家庭での個人専用に適しており管理も容易で、例えば丸型の容器などに収納すれば人目に付かず保管できる。
【発明を実施するための最良の形態】
【００１５】図１は本発明の実施例の使用状況を示す概念図で、本補助具１のつまみ部１０を手の指で挟んで支えて操作し、仕切り板５の凹面部９の上部にある外尿道口１ａからの排尿が便器１ｂに注がれる様子を点線で示している。【００１６】本補助具１の排出路面２の上面は開放されており、仕切り板５側の形状は谷底の形状をしており、大端谷底形状３から排出端４まで、排出路面２から排尿が跳ね出さず整然と流れるように、排出路面２の形状を順次狭めるよう構成してある。【００１７】更に、排出路面４の排尿が流れる部分の一部の表面をへり１１の部分を含め尿にぬれる表面８にし、点線で区分されたそれ以外の部分の表面を尿をはじく表面６の材料で構成したものである。
【実施例１】
【００１８】図２は本発明の小用補助具１の実施例の斜視図であり、仕切り板５の位置と凹面部９の形状は外尿道口が適当な位置に案内され清潔が保たれるように構成し、排尿が円滑に排出端４まで表面張力と重力の影響で案内されるよう、尿にぬれる表面８の境界線７の位置と形状や当該表面の排出端までの長さ、排出路面の形状とへり１１の外形形状を構成した。【００１９】上記図２の本小用補助具１の材質はポリプロピレンで形成し、尿でぬれる表面８にするためこの部分にシリカゲルの微粒子を表面に溶着し、なお、排出路面２などの基本の厚さは約１ｍｍで、排出端４からつまみ部１０を含めた全長は約１８０ｍｍにしたが、これらの寸法は使用条件に応じて変更できる。【００２０】図３は本小用補助具１の排出路面２の構成を示す実施例の平面図であり、排尿が流れる部分の一部をそのへり１１を含めた尿にぬれる表面８を斜線部で示しており、またへり１１の部分からの排尿のはねだしを必要により改善するために、かえし部１２を設けた例を示している。【００２１】更に、図３で示す本小用補助具１の尿をはじく表面６の材料として、ポリエチレンなど表面張力が５０ｍＮ／ｍより出来るだけ小さいプラスチックを使用し、尿にぬれる表面８の材料としてゼオライトなどをプラスチックを表面に溶着するなど表面改良をして、表面張力を７４ｍＮ／ｍより出来るだけ大きくしたものが好ましいが、これらの選択は当然、性能や製造価額を考慮して選ばれる。
【実施例２】
【００２２】図４は本発明の小用補助具１の側面つまみ部の実施例の斜視図で、排出路面２の側面に設けた左手用の側面つまみ部１３と、補強のために補強部１４を設けた例である。
【図面の簡単な説明】
【００２３】
【図１】本発明の実施例の使用状況を示す概念図
【図２】本発明の小用補助具の実施例の斜視図
【図３】本発明の小用補助具の排出路面の構成を示す実施例の平面図
【図４】本発明の小用補助具のつまみ部の他の実施例の斜視図
【符号の説明】
【００２４】      １    小用補助具
１ａ  外尿道口
１ｂ  便器
２    排出路面
３    大端谷底形状
４    排出端
５    仕切り板
６    尿をはじく表面
７    境界線
８    尿にぬれる表面
９    凹面部
１０    つまみ部
１１    へり
１２    かえし部
１３    側面つまみ部
１４    補強部
【図１】
0005488898.tif 000002
【図２】
0005488898.tif 000003
【図３】
0005488898.tif 000004
【図４】
0005488898.tif 000005